(57)【要約】【課題】持ち運びできる暗証番号式の施錠機構は解錠時に表示部の文字を他人に見られると、その他人も解錠することができ、その後は施錠することができなくなってしまう。【解決手段】施錠機構はロックリングとロックリングの外周に嵌合するロゴリングとからなるダイヤルを備え、ロックリングに対してロゴリングを周方向に相対回転させて嵌合部の位置を決めることで解錠表示（暗証文字）が確定し、その位置決めを自由に選択することで解錠表示を変更する。 【選択図】図１
2019119488.tif 000002
【特許請求の範囲】
【請求項１】
ボトルのキャップを保護して施錠するキャップ・ロックであって、
キャップ・ロックはカバー組と、少なくとも一つ以上のダイヤルと、カギを備え、
カバー組は第１カバーと、前記第１カバーと左右両開きになる第２カバーと、左右両閉じ状態において前記第１カバーと前記第２カバーとが形成する中空部と、前記中空部を上下に分割するとともに第２カバーに形成される少なくとも一つの仕切りと、前記仕切りの上方であるとともに第１カバーに形成される支持台と、前記支持台の上方に形成される回転軸と、前記第１カバーおよび前記第２カバーの底面にそれぞれ爪部と、前記第１カバーまたは前記第２カバーに形成される少なくとも一つの上蓋を備え、
前記ダイヤルは第１空洞部を有するドーナツ状の表示部と、前記第１空洞部に第２空洞部を有するドーナツ状のロック部が勘合する勘合部を備える。
【発明の詳細な説明】
【技術分野】
【０００１】
本発明は、ワイン、日本酒、ウイスキーなどのビン類およびペットボトルなどのキャップ開封後のキャップの施錠に関する。
【背景技術】
【０００２】
学生寮や社員寮などにおいて共同で使用している冷蔵庫に、開封後のボトルなどを保存する場合は、所有者を明確にするために各自がボトルに名前を書くなどしていた。
【０００３】
また、家庭などにおいて、幼児に与えられない飲料が入ったボトルを幼児が誤って開けてしまうことがあった。
【０００４】
また、飲食店などにおいて、ボトル飲料を購入してボトルキープをした後、その飲食店を再度利用した際に、保管したボトルの残容量や品質に安心できない状況が発生してしまうことがあった。
【先行技術文献】
【特許文献】
【０００５】
【特許文献１】特開２０００−２３８８３１号公報
【発明の概要】
【発明が解決しようとする課題】
【０００６】
従来はボトルキャップ開封後のキャップを施錠するものがなかった。
持ち運びできる暗証番号式の施錠機構は解除時に表示部の文字を他人に見られると、その他人も解除することができ、その後は施錠することができなくなってしまうという問題があった。
炭酸飲料やカフェイン飲料またはアルコール類などの幼児に適さない飲料水が入ったボトルを、幼児が誤って開封したり、さらには飲んでしまうことを防止するためのボトルキャップの施錠品の提供を目的とする。
【課題を解決するための手段】
【０００７】
施錠品の施錠機構はロックリングとロックリングの外周に勘合するロゴリングとからなるダイヤルを備え、勘合する際にロックリングに対してロゴリングを周方向に相対回転して勘合部の位置を決めることで解除表示（文字や数字などの暗証文字）が確定し、必要に応じて勘合部の位置を自由に変更して解除表示を変える構造とした。
【発明の効果】
【０００８】
解除するための表示部を自由に変えることで、他人に解除表示が知られても別の表示に変更することができる。
【図面の簡単な説明】
【０００９】
【図１】ペットボトルへのキャップ・ロック装着を示した斜視図である。
【図２】ペットボトルへのキャップ・ロック装着を示した正面図である。
【図３】ペットボトルへのキャップ・ロック装着完了を示した正面図である。
【図４】左右のカバーを閉じた状態のキャップ・ロックの平面図である。
【図５】変形鍵穴が形成された状態のキャップ・ロックの平面図である。
【図６】変形鍵穴が形成されていない状態のキャップ・ロックの平面図である。
【図７】変形鍵穴が形成された状態のキャップ・ロックの斜視図である。
【図８】変形鍵穴が形成されていない状態のキャップ・ロックの斜視図である。
【図９】ロックリングとロゴリングの勘合位置の変更に関する部分図である。
【図１０】ロックリングとカギのスリットとの関係の構造図である。
【図１１】キャップ・ロックの斜視図である。
【図１２】カバー組の斜視図である。
【発明を実施するための形態】
【実施例１】
【００１０】
ボトルキャップ・ロック（１０）はカバー組（２０）と、３つのダイヤル（６０）と、カギ（７０）を備える。
【００１１】
カバー組（２０）は、中空部を有する円柱形状であり、円柱を左右対称に垂直二等分した一方である第１カバー（３０）と他方である第２カバー（４０）を備え、第１カバー（３０）と第２カバー（４０）とがヒンジで左右両開きとなる。
【００１２】
中空部は、左右両閉じになった第１カバー（３０）と第２カバー（４０）とで形成される円柱上の空間部分である。
【００１３】
第１カバー（３０）は、第１開口部（３１）と、上部ピン受け（３２）と、下部ピン受け（３３）と、支持台（３４）と、回転軸（３５）と、挟持部（３６）と、第１爪部（３７）を備える。
【００１４】
第１開口部（３１）は、第１カバー（３０）の側面に形成され、第１カバー（３０）内のダイヤル（６０）を回すための開口部となる。
【００１５】
上部ピン受け（３２）は、第１カバー（３０）の平面視で半円形の一端側であるとともに、側面視で上方に形成され、止ピン（５０）を挿入するためのピン受けとなる。
【００１６】
下部ピン受け（３３）は、第１カバー（３０）の平面視で半円形の一端側であるとともに、側面視で上部ピン受け（３２）の下方に形成され、止ピン（５０）を挿入するためのピン受けとなる。
【００１７】
支持台（３４）は、円盤形状であり、中空部にあるとともに第１開口部（３１）の開口部下側水平線と同じ高さに位置し、第３鍵穴（３４−１）を有する。
【００１８】
回転軸（３５）は、支持台（３４）の中心でかつ上方に位置し円柱形状であり、平面視で切り欠き形状の回転軸凹部（３５−１）を有する。
【００１９】
挟持部（３６）は、支持台（３４）の下方に位置し、支持台（３４）とともに第２カバー（４０）の仕切り（４４）を挟持する。
【００２０】
第１爪部（３７）は、第１カバー（３０）の底面に位置し、第１カバー（３０）と第２カバー（４０）を閉成したときに第１爪部（３７）と第２カバー（４０）の第２爪部（４５）とでボトル・ネック部のフランジ（１０２）に係合する。
【００２１】
第２カバー（４０）は、その上蓋（４１）と、第２開口部（４２）と、中部ピン受け（４３）と、仕切り（４４）と、第２爪部（４５）を備える。
【００２２】
上蓋（４１）は、第２カバー（４０）の上面に形成され、第１鍵穴（４１−１）を有する。
【００２３】
第２開口部（４２）は、第２カバー（４０）の側面に形成され、第２カバー（４０）内のダイヤル（６０）を回すための開口部となる。
【００２４】
中部ピン受け（４３）は、第２カバー（４０）の側面側であり、平面視で半円形の一端側であるとともに、側面視で第１カバー（３０）の上部ピン受け（３２）と下部ピン受け（３３）の間に形成され、止ピン（５０）を挿入するためのピン受けとなる。
【００２５】
仕切り（４４）は、第２カバー（４０）の中空部であるとともに、第２開口部（４２）の開口部下側水平線と同じ高さに位置し、円盤形状であり、第２鍵穴（４４−１）を有する。
【００２６】
第２爪部（４５）は、第２カバー（４０）の底面に位置し、第１カバー（３０）と第２カバー（４０）を閉成したときに第２爪部（４５）と第１カバー（３０）の第１爪部（３７）とでボトル・ネック部のフランジ（１０２）に係合する。
【００２７】
ダイヤル（６０）は、その中心部にロック部であるロックリング（６１）と、ロックリング（６１）の外周側に表示部であるロゴリング（６２）を備え、ロックリング（６１）の外周側面の平面視である第１ギア形状とロゴリング（６２）の内周側面の平面視である第２ギア形状とが勘合する勘合部（６３）を備える。
なお、勘合部（６３）はギア形状であるが、勘合時にロックリング（６１）に対してロゴリング（６２）が周方向へ相対回転せずに軸方向へ相対移動することで、ロックリング（６１）に対してロゴリング（６２）が取り外しできる形状であればよい。
【００２８】
ロックリング（６１）は、内円が空洞であるドーナツ状であり、空洞形状は外周径の大きい円盤が下段にそれより小さい円盤が上段に位置する２段構造であり、ロックリング（６１）の内円は平面視において切り欠き状のロックリング凹部（６１−１）を備え、外周側面はロゴリング（６２）と勘合するためのギア形状を備え、
回転軸（３５）に回動自在に軸支されるとともに、回転軸凹部（３５−１）と、ロックリング凹部（６１−１）とで変形鍵穴を形成する回動位置を有する。 
【００２９】
ロゴリング（６２）は、内円が空洞であるドーナツ状であるとともに、外周側面に文字または数字の意匠面を有する解除表示である暗証文字を備え、内周側面はロックリング（６１）と勘合するためのギア形状を備える。
【００３０】
カギ（７０）は、使用状態姿勢において、上下に長く板状である下部と、つまみである上部を有し、下部は幅方向に３つのスリット（７１）を備える。
【００３１】
鍵穴は、第１カバー（３０）の回転軸（３５）を中心にロックリング（６１）が回動することで、回転軸凹部（３５−１）とロックリング凹部（６１−１）とが径方向に一致した時に形成される変形鍵穴（８０）であり、径方向一致しない場合には変形鍵穴（８０）は形成されない。
【００３２】
ロック機構は、第１カバー（３０）の変形鍵穴（８０）と第２カバー（４０）の第１鍵穴（４１−１）（第２鍵穴も同じ位置）とが上下に重なり合ったときにカギ（７０）をカバー組（２０）から挿入・取出しできる解除状態となる。
解除状態となってカギ（７０）を取り出すと第１カバー（３０）と第２カバー（４０）を左右に開閉でき、解除状態で第１カバー（３０）と第２カバー（４０）を閉成し、かつダイヤル（６０）を回して変形鍵穴（８０）を変化させると、カギ（７０）をカバー組（２０）から取り出すことができなくなり、かつ第１カバー（３０）と第２カバー（４０）を左右に開成できない施錠状態となる。
【００３３】
解除番号変更機能は、図９のようにロックリング（６１）の外周とロゴリング（６２）の内周を勘合させる時に、ロックリング凹部（６１−１）の径方向延長上に位置するロゴリング（６２）の暗証文字または基準となる位置を、ロックリング（６１）とロゴリング（６２）との周方向における相対回転によって自由に選択することができる。
ロックリング（６１）とロゴリング（６２）の勘合状態から、ロックリング（６１）の外周とロゴリング（６２）の内周とを軸方向へ相対移動させることで、ロックリング（６１）とロゴリング（６２）とを取り外すことができる。
【００３４】
図１はペットボトルにキャップ・ロックを装着した状態で、実施例ではダイヤル（６０）は３つであるが、いくつであってもよい。
【００３５】
図２はペットボトルのキャップ（１０１）が左カバー内に収納されている様子であり、左右のカバーを閉じると両カバーの爪（３６，４５）がペットボトルのフランジ（１０２）に係合する。
【００３６】
図３はペットボトルのキャップに施錠した状態である。
【００３７】
図４はキャップ・ロックを閉成した状態で、第１鍵穴（４１−１）にカギを挿入して、その後でダイヤル（６０）を回すと施錠状態となる。
【００３８】
図５は回転軸凹部（３５−１）とロックリング凹部（６１−１）が同じ径方向上で一致した時に、回転軸凹部（３５−１）とロックリング凹部（６１−１）とが変形鍵穴（８０）を形成する。
【００３９】
図６は回転軸凹部（３５−１）とロックリング凹部（６１−１）が同じ径方向上で一致していないため、変形鍵穴（８０）が形成されない。
【００４０】
図９はロックリング（６１）とロゴリング（６２）の勘合位置（６３）を変更する場合で、自由に表示部を変えることが可能となる。
【００４１】
図１０はロクリング（６１）の内周壁とカギ（７０）のスリット（７１）との形状の関係である。実施例ではダイヤル（６０）が３つであるため、スリット（７１）も３つとなる。
【産業上の利用可能性】
【００４２】
本発明のキャップ・ロックは容器の口にフランジを有するものであればビン類およびペットボトルなどに限らす、薬品や洗浄剤などの容器などでも施錠することができる。
【符号の説明】
【００４３】
１０  ボトルキャップ・ロック
２０  カバー組
３０  第１カバー
３１  第１開口部
３２  上部ピン受け
３３  下部ピン受け
３４  支持台
３４−１  第３鍵穴
３５  回転軸
３５−１  回転軸凹部
３６  挟持部
３７  第１爪部
４０  第２カバー
４１  上蓋
４１−１  第１鍵穴
４２  第２開口部
４３  中部ピン受け
４４  仕切り
４４−１  第２鍵穴
４５  第２爪部
５０  止ピン
６０  ダイヤル
６１  ロックリング
６１−１  ロックリング凹部
６２  ロゴリング
６３  勘合部
７０  カギ
７１  スリット
８０  変形鍵穴
１００  ペットボトル
１０１  ペットボトル・キャップ
１０２  ペットボトル・ネックフランジ 
【図１】
2019119488.tif 000003
【図２】
2019119488.tif 000004
【図３】
2019119488.tif 000005
【図４】
2019119488.tif 000006
【図５】
2019119488.tif 000007
【図６】
2019119488.tif 000008
【図７】
2019119488.tif 000009
【図８】
2019119488.tif 000010
【図９】
2019119488.tif 000011
【図１０】
2019119488.tif 000012
【図１１】
2019119488.tif 000013
【図１２】
2019119488.tif 000014
【手続補正書】
【提出日】平成30年12月30日(2018.12.30)
【手続補正１】
【補正対象書類名】特許請求の範囲
【補正対象項目名】全文
【補正方法】変更
【補正の内容】
【特許請求の範囲】
【請求項１】
ボトルのキャップを保護して施錠するキャップ・ロックであって、
キャップ・ロックはカバー組と、少なくとも一つ以上のダイヤルと、カギを備え、
カバー組は第１カバーと、前記第１カバーと左右両開きになる第２カバーと、左右両閉じ状態において前記第１カバーと前記第２カバーとが形成する中空部と、前記中空部を上下に分割するとともに前記第２カバーに形成される少なくとも一つの仕切りと、前記仕切りの上方であるとともに前記第１カバーに形成される支持台と、前記支持台の上方に形成される回転軸と、前記第１カバーおよび前記第２カバーの底面にそれぞれ爪部と、前記第１カバーまたは前記第２カバーに形成される少なくとも一つの上蓋を備え、
前記ダイヤルは第１空洞部を有するドーナツ状の表示部と、前記第１空洞部に第２空洞部を有するドーナツ状のロック部が嵌合する嵌合部を備えることを特徴とするキャップ・ロック。
【手続補正２】
【補正対象書類名】明細書
【補正対象項目名】全文
【補正方法】変更
【補正の内容】
【発明の詳細な説明】
【技術分野】
【０００１】
本発明は、ワイン、日本酒、ウイスキーなどのビン類およびペットボトルなどのキャップ開封後のキャップの施錠に関する。
【背景技術】
【０００２】
学生寮や社員寮などにおいて共同で使用している冷蔵庫に、開封後のボトルなどを保存する場合は、所有者を明確にするために各自がボトルに名前を書くなどしていた。
【０００３】
また、家庭などにおいて、幼児に与えられない飲料が入ったボトルを幼児が誤って開けてしまうことがあった。
【０００４】
また、飲食店などにおいて、ボトル飲料を購入してボトルキープをした後、その飲食店を再度利用した際に、保管したボトルの残容量や品質に安心できない状況が発生してしまうことがあった。
【先行技術文献】
【特許文献】
【０００５】
【特許文献１】特開２０００−２３８８３１号公報
【発明の概要】
【発明が解決しようとする課題】
【０００６】
従来はボトルキャップ開封後のキャップを施錠するものがなかった。
持ち運びできる暗証番号式の施錠機構は解錠時に表示部の文字を他人に見られると、その他人も解錠することができ、その後は施錠することができなくなってしまうという問題があった。
炭酸飲料やカフェイン飲料またはアルコール類などの幼児に適さない飲料水が入ったボトルを、幼児が誤って開封したり、さらには飲んでしまうことを防止するためのボトルキャップの施錠品の提供を目的とする。
【課題を解決するための手段】
【０００７】
施錠品の施錠機構はロックリングとロックリングの外周に嵌合するロゴリングとからなるダイヤルを備え、嵌合する際にロックリングに対してロゴリングを周方向に相対回転して嵌合部の位置を決めることで解錠表示（文字や数字などの暗証文字）が確定し、必要に応じて嵌合部の位置を自由に変更して解錠表示を変える構造とした。
【発明の効果】
【０００８】
解錠するための表示部を自由に変えることで、他人に解錠表示が知られても別の表示に変更することができる。
【図面の簡単な説明】
【０００９】
【図１】ペットボトルへのキャップ・ロック装着を示した斜視図である。
【図２】ペットボトルへのキャップ・ロック装着を示した正面図である。
【図３】ペットボトルへのキャップ・ロック装着完了を示した正面図である。
【図４】左右のカバーを閉じた状態のキャップ・ロックの平面図である。
【図５】変形鍵穴が形成された状態のキャップ・ロックの平面図である。
【図６】変形鍵穴が形成されていない状態のキャップ・ロックの平面図である。
【図７】変形鍵穴が形成された状態のキャップ・ロックの斜視図である。
【図８】変形鍵穴が形成されていない状態のキャップ・ロックの斜視図である。
【図９】ロックリングとロゴリングの嵌合位置の変更に関する部分図である。
【図１０】ロックリングとカギのスリットとの関係の構造図である。
【図１１】キャップ・ロックの斜視図である。
【図１２】カバー組の斜視図である。
【発明を実施するための形態】
【実施例１】
【００１０】
ボトルキャップ・ロック（１０）はカバー組（２０）と、３つのダイヤル（６０）と、カギ（７０）を備える。
【００１１】
カバー組（２０）は、中空部を有する円柱形状であり、円柱を左右対称に垂直二等分した一方である第１カバー（３０）と他方である第２カバー（４０）を備え、第１カバー（３０）と第２カバー（４０）とがヒンジで左右両開きとなる。
【００１２】
中空部は、左右両閉じになった第１カバー（３０）と第２カバー（４０）とで形成される円柱上の空間部分である。
【００１３】
第１カバー（３０）は、第１開口部（３１）と、上部ピン受け（３２）と、下部ピン受け（３３）と、支持台（３４）と、回転軸（３５）と、挟持部（３６）と、第１爪部（３７）を備える。
【００１４】
第１開口部（３１）は、第１カバー（３０）の側面に形成され、第１カバー（３０）内のダイヤル（６０）を回すための開口部となる。
【００１５】
上部ピン受け（３２）は、第１カバー（３０）の平面視で半円形の一端側であるとともに、側面視で上方に形成され、止ピン（５０）を挿入するためのピン受けとなる。
【００１６】
下部ピン受け（３３）は、第１カバー（３０）の平面視で半円形の一端側であるとともに、側面視で上部ピン受け（３２）の下方に形成され、止ピン（５０）を挿入するためのピン受けとなる。
【００１７】
支持台（３４）は、円盤形状であり、中空部にあるとともに第１開口部（３１）の開口部下側水平線と同じ高さに位置し、第３鍵穴（３４−１）を有する。
【００１８】
回転軸（３５）は、支持台（３４）の中心でかつ上方に位置し円柱形状であり、平面視で切り欠き形状の回転軸凹部（３５−１）を有する。
【００１９】
挟持部（３６）は、支持台（３４）の下方に位置し、支持台（３４）とともに第２カバー（４０）の仕切り（４４）を挟持する。
【００２０】
第１爪部（３７）は、第１カバー（３０）の底面に位置し、第１カバー（３０）と第２カバー（４０）を閉成したときに第１爪部（３７）と第２カバー（４０）の第２爪部（４５）とでボトル・ネック部のフランジ（１０２）に係合する。
【００２１】
第２カバー（４０）は、その上蓋（４１）と、第２開口部（４２）と、中部ピン受け（４３）と、仕切り（４４）と、第２爪部（４５）を備える。
【００２２】
上蓋（４１）は、第２カバー（４０）の上面に形成され、第１鍵穴（４１−１）を有する。
【００２３】
第２開口部（４２）は、第２カバー（４０）の側面に形成され、第２カバー（４０）内のダイヤル（６０）を回すための開口部となる。
【００２４】
中部ピン受け（４３）は、第２カバー（４０）の側面側であり、平面視で半円形の一端側であるとともに、側面視で第１カバー（３０）の上部ピン受け（３２）と下部ピン受け（３３）の間に形成され、止ピン（５０）を挿入するためのピン受けとなる。
【００２５】
仕切り（４４）は、第２カバー（４０）の中空部であるとともに、第２開口部（４２）の開口部下側水平線と同じ高さに位置し、円盤形状であり、第２鍵穴（４４−１）を有する。
【００２６】
第２爪部（４５）は、第２カバー（４０）の底面に位置し、第１カバー（３０）と第２カバー（４０）を閉成したときに第２爪部（４５）と第１カバー（３０）の第１爪部（３７）とでボトル・ネック部のフランジ（１０２）に係合する。
【００２７】
ダイヤル（６０）は、その中心部にロック部であるロックリング（６１）と、ロックリング（６１）の外周側に表示部であるロゴリング（６２）を備え、ロックリング（６１）の外周側面の平面視である第１ギア形状とロゴリング（６２）の内周側面の平面視である第２ギア形状とが嵌合する嵌合部（６３）を備える。
なお、嵌合部（６３）はギア形状であるが、嵌合時にロックリング（６１）に対してロゴリング（６２）が周方向へ相対回転せずに軸方向へ相対移動することで、ロックリング（６１）に対してロゴリング（６２）が取り外しできる形状であればよい。
【００２８】
ロックリング（６１）は、内円が空洞であるドーナツ状であり、空洞形状は外周径の大きい円盤が下段にそれより小さい円盤が上段に位置する２段構造であり、ロックリング（６１）の内円は平面視において切り欠き状のロックリング凹部（６１−１）を備え、外周側面はロゴリング（６２）と嵌合するためのギア形状を備え、
回転軸（３５）に回動自在に軸支されるとともに、回転軸凹部（３５−１）と、ロックリング凹部（６１−１）とで変形鍵穴を形成する回動位置を有する。 
【００２９】
ロゴリング（６２）は、内円が空洞であるドーナツ状であるとともに、外周側面に文字または数字の意匠面を有する解錠表示である暗証文字を備え、内周側面はロックリング（６１）と嵌合するためのギア形状を備える。
【００３０】
カギ（７０）は、使用状態姿勢において、上下に長く板状である下部と、つまみである上部を有し、下部は幅方向に３つのスリット（７１）を備える。
【００３１】
鍵穴は、第１カバー（３０）の回転軸（３５）を中心にロックリング（６１）が回動することで、回転軸凹部（３５−１）とロックリング凹部（６１−１）とが径方向に一致した時に形成される変形鍵穴（８０）であり、径方向一致しない場合には変形鍵穴（８０）は形成されない。
【００３２】
ロック機構は、第１カバー（３０）の変形鍵穴（８０）と第２カバー（４０）の第１鍵穴（４１−１）（第２鍵穴も同じ位置）とが上下に重なり合ったときにカギ（７０）をカバー組（２０）から挿入・取出しできる解錠状態となる。
解錠状態となってカギ（７０）を取り出すと第１カバー（３０）と第２カバー（４０）を左右に開閉でき、解錠状態で第１カバー（３０）と第２カバー（４０）を閉成し、かつダイヤル（６０）を回して変形鍵穴（８０）を変化させると、カギ（７０）をカバー組（２０）から取り出すことができなくなり、かつ第１カバー（３０）と第２カバー（４０）を左右に開成できない施錠状態となる。
【００３３】
解錠番号変更機能は、図９のようにロックリング（６１）の外周とロゴリング（６２）の内周を嵌合させる時に、ロックリング凹部（６１−１）の径方向延長上に位置するロゴリング（６２）の暗証文字または基準となる位置を、ロックリング（６１）とロゴリング（６２）との周方向における相対回転によって自由に選択することができる。
ロックリング（６１）とロゴリング（６２）の嵌合状態から、ロックリング（６１）の外周とロゴリング（６２）の内周とを軸方向へ相対移動させることで、ロックリング（６１）とロゴリング（６２）とを取り外すことができる。
【００３４】
図１はペットボトルにキャップ・ロックを装着した状態で、実施例ではダイヤル（６０）は３つであるが、いくつであってもよい。
【００３５】
図２はペットボトルのキャップ（１０１）が左カバー内に収納されている様子であり、左右のカバーを閉じると両カバーの爪（３６，４５）がペットボトルのフランジ（１０２）に係合する。
【００３６】
図３はペットボトルのキャップに施錠した状態である。
【００３７】
図４はキャップ・ロックを閉成した状態で、第１鍵穴（４１−１）にカギを挿入して、その後でダイヤル（６０）を回すと施錠状態となる。
【００３８】
図５は回転軸凹部（３５−１）とロックリング凹部（６１−１）が同じ径方向上で一致した時に、回転軸凹部（３５−１）とロックリング凹部（６１−１）とが変形鍵穴（８０）を形成する。
【００３９】
図６は回転軸凹部（３５−１）とロックリング凹部（６１−１）が同じ径方向上で一致していないため、変形鍵穴（８０）が形成されない。
【００４０】
図９はロックリング（６１）とロゴリング（６２）の嵌合位置（６３）を変更する場合で、自由に表示部を変えることが可能となる。
【００４１】
図１０はロクリング（６１）の内周壁とカギ（７０）のスリット（７１）との形状の関係である。実施例ではダイヤル（６０）が３つであるため、スリット（７１）も３つとなる。
【産業上の利用可能性】
【００４２】
本発明のキャップ・ロックは容器の口にフランジを有するものであればビン類およびペットボトルなどに限らす、薬品や洗浄剤などの容器などでも施錠することができる。
【符号の説明】
【００４３】
１０  ボトルキャップ・ロック
２０  カバー組
３０  第１カバー
３１  第１開口部
３２  上部ピン受け
３３  下部ピン受け
３４  支持台
３４−１  第３鍵穴
３５  回転軸
３５−１  回転軸凹部
３６  挟持部
３７  第１爪部
４０  第２カバー
４１  上蓋
４１−１  第１鍵穴
４２  第２開口部
４３  中部ピン受け
４４  仕切り
４４−１  第２鍵穴
４５  第２爪部
５０  止ピン
６０  ダイヤル
６１  ロックリング
６１−１  ロックリング凹部
６２  ロゴリング
６３  嵌合部
７０  カギ
７１  スリット
８０  変形鍵穴
１００  ペットボトル
１０１  ペットボトル・キャップ
１０２  ペットボトル・ネックフランジ